(57)【要約】【課題】図形コード生成機能を備える携帯端末装置において、筐体が所定の状態（折り畳まれた状態など）にあることを検知したときに、直前に表示させていたＷｅｂサイトのＵＲＬなどを図形コード化して画面表示する。【解決手段】携帯電話機１０は、表示部１及びサブ表示部４を設けた表示部側筐体と、操作部２を設けた操作部側筐体とを備え、前記表示部側筐体と前記操作部側筐体とがヒンジ機構を介して回動可能に連結されている。携帯電話機１０は、携帯電話機１０の筐体が所定の状態（折り畳まれた状態など）にあることを検知する筐体状態検知部１４と、その検知結果に応答して、表示部１に表示させている情報（Ｗｅｂページなど）の少なくとも一部あるいはその表示情報に関連する情報（ＵＲＬなど）を図形コード化する図形コード生成部１５と、その図形コードを表示部１あるいはサブ表示部４に表示させる表示制御部１７とを備える。【選択図】図４
2006303562.tif 000002
【特許請求の範囲】
【請求項１】
表示部を有する携帯端末装置において、該携帯端末装置の筐体が所定の状態にあることを検知する筐体状態検知手段と、該筐体状態検知手段による検知結果に応答して、前記表示部に表示させている情報の少なくとも一部あるいは該表示情報に関連する情報を図形コード化する図形コード生成手段と、該図形コードを前記表示部に表示させる表示制御手段とを備えていることを特徴とする携帯端末装置。
【請求項２】
請求項１に記載の携帯端末装置において、前記表示部は、前記図形コードを表示する第１の表示部と、前記図形コードの元になる情報を表示する第２の表示部とからなることを特徴とする携帯端末装置。
【請求項３】
請求項２に記載の携帯端末装置において、該携帯端末装置は、前記第１および第２の表示部を有する表示部側筐体と、操作部を有する操作部側筐体とがヒンジ機構を介して回動可能に連結されてなり、前記第１の表示部は、前記携帯端末装置が折り畳まれたときに外側となる面に配置されていることを特徴とする携帯端末装置。
【請求項４】
請求項３に記載の携帯端末装置において、前記筐体状態検知手段は、前記所定の状態として、前記表示部側筐体が前記操作部側筐体に対して折り畳まれた状態を検知することを特徴とする携帯端末装置。
【請求項５】
請求項２に記載の携帯端末装置において、前記第１の表示部の画面サイズ情報を記憶した手段を備え、前記図形コード生成手段は、前記第１の表示部の画面サイズに応じて図形コードのサイズを変更することを特徴とする携帯端末装置。
【請求項６】
請求項１に記載の携帯端末装置において、前記図形コード生成手段は、前記表示部に表示させている情報の少なくとも一部あるいは該表示情報に関連する情報を図形コード化すると共に、該図形コードの内容を示す文字情報を生成し、前記表示制御手段は、前記図形コード生成手段により生成した図形コード及び文字情報を前記表示部に表示させることを特徴とする携帯端末装置。
【請求項７】
請求項１に記載の携帯端末装置において、前記表示制御手段は、前記図形コード生成手段により生成した図形コードを前記表示部に所定時間表示させた後、所定の画面に戻すように制御することを特徴とする携帯端末装置。
【請求項８】
請求項１に記載の携帯端末装置において、該携帯端末装置は、前記表示部を有する表示部側筐体と、操作部を有する操作部側筐体とからなり、前記筐体状態検知手段は、前記表示部側筐体と前記操作部側筐体との位置関係に基づいて前記携帯端末装置の筐体が所定の状態にあることを検知することを特徴とする携帯端末装置。
【請求項９】
請求項８に記載の携帯端末装置において、該携帯端末装置は、前記表示部側筐体と前記操作部側筐体とがヒンジ機構を介して回動可能に連結されてなり、前記表示部側筐体は、前記ヒンジ機構の回転軸に直交する第１の回転軸を前記表示部側筐体の下部中央付近に設け、前記表示部側筐体が前記操作部側筐体に対して開いた状態で、前記表示部が前記第１の回転軸を中心として回転可能とし、前記筐体状態検知手段は、前記所定の状態として、前記表示部が前記操作部側筐体に対して回転した状態を検知することを特徴とする携帯端末装置。
【請求項１０】
請求項１に記載の携帯端末装置において、前記筐体状態検知手段は、前記所定の状態として、前記携帯端末装置の筐体の傾きを検知することを特徴とする携帯端末装置。
【請求項１１】
請求項１に記載の携帯端末装置において、前記筐体状態検知手段は、前記所定の状態として、前記携帯端末装置の筐体の揺れを検知することを特徴とする携帯端末装置。
【請求項１２】
請求項１に記載の携帯端末装置において、前記図形コード生成手段は、前記表示部に表示されている情報のうち、前記操作部により選択された情報を図形コード化することを特徴とする携帯端末装置。
【請求項１３】
請求項１に記載の携帯端末装置において、ネットワークを介してＷｅｂサイトに接続する手段を備え、前記図形コード生成手段は、前記表示部にＷｅｂサイトからの情報を表示させているときに、該表示中の情報の少なくとも一部あるいは前記Ｗｅｂサイトのアドレス情報を図形コード化することを特徴とする携帯端末装置。
【請求項１４】
請求項１に記載の携帯端末装置において、電子メールを送受信する手段を備え、前記図形コード生成手段は、前記表示部に電子メールを表示させているときに、該表示中の電子メールの本文、件名、送信先の電子メールアドレス、送信元の電子メールアドレスのいずれか１又は複数を図形コード化することを特徴とする携帯端末装置。
【請求項１５】
請求項１に記載の携帯端末装置において、該携帯端末装置のユーザ及び通信相手の住所、氏名、電話番号、電子メールアドレスのいずれか複数の情報を含むアドレス情報を登録した手段を備え、前記図形コード生成手段は、前記表示部にアドレス情報を表示させているときに、該表示中のアドレス情報に含まれる少なくとも一つの情報を図形コード化することを特徴とする携帯端末装置。
【請求項１６】
請求項１５に記載の携帯端末装置において、前記アドレス情報に含まれる一つの情報を図形コード化した後、前記筐体が所定の状態にあることを検知すると、前記図形コード生成手段は、前記アドレス情報に含まれる前記情報以外の他の情報を図形コード化することを特徴とする携帯端末装置。
【請求項１７】
表示部を有する携帯端末装置の図形コード生成方法において、前記携帯端末装置の筐体が所定の状態にあることを検知するステップと、前記筐体が所定の状態にあることを検知したことに応答して前記表示部に表示させている情報の少なくとも一部あるいは該表示情報に関連する情報を図形コード化するステップと、該図形コードを前記表示部に表示させるステップとを有することを特徴とする図形コード生成方法。
【発明の詳細な説明】
【技術分野】
【０００１】
本発明は、携帯端末装置及び図形コード生成方法、より詳細には、携帯端末装置が折り畳まれた状態などを検知したときに、その直前に表示させていたＷｅｂページのＵＲＬなどを図形コード化して画面表示可能な携帯端末装置及び該装置を用いた図形コード生成方法に関する。
【背景技術】
【０００２】
携帯電話機などの携帯端末装置を用いて、Ｗｅｂページや、電子メール、アドレス帳などを画面に表示させて閲覧することが行われている。通常、携帯電話機のユーザは、画面に表示させたＷｅｂページ、電子メール、アドレス帳などを個人的に閲覧するケースが多いが、友人や家族などと一緒にいるときに、当該ユーザが現在見ている画面の情報（例えば、ＷｅｂサイトのＵＲＬ（Ｕｎｉｆｏｒｍ  Ｒｅｓｏｕｒｃｅ  Ｌｏｃａｔｏｒ）、電子メールのメールアドレスあるいは本文、アドレス帳のデータなど）を、一緒にいる家族や友人が持つ携帯電話機に渡したい場合がある。
【０００３】
上記のような状況において、例えば、携帯電話機で見ているＷｅｂサイトのＵＲＬを電子メールで友人などに送ることが考えられるが、携帯電話機の電子メールソフトを立ち上げて、送信先を指定するなどの煩雑な操作が必要となる。また、携帯電話機に赤外線通信機能が搭載されている場合、この赤外線通信機能を使って自身のプロフィールやアドレス帳データを送ることもできるが、携帯電話機のメニュー画面から赤外線通信機能を立ち上げて、通信に必要な設定を行うなど煩雑な操作が必要となる。
【０００４】
また、携帯電話機の中には、ＱＲ（Ｑｕｉｃｋ  Ｒｅｓｐｏｎｓｅ）コードなどの２次元コードを読み取る機能を搭載したものがある。この２次元コード読取機能を用いて、例えば、情報処理装置の画面上に表示された２次元コードや、用紙に印刷された２次元コードを読み取って情報を復元し、携帯電話機の画面上に表示させることができる。この機能を利用することにより、ユーザ同士でＷｅｂサイトのＵＲＬなどの情報をやり取りすることができる。しかし、その一方で、２次元コードの情報はＷｅｂサイト側から提供されるものに限定されてしまう上に、Ｗｅｂサイトから２次元コードが提供されていなければ、情報のやり取りはできない。
【０００５】
ここで、画面上にコード情報を表示させる技術に関し、例えば、特許文献１には、バーコード読取装置によって読み取り可能であるように、携帯情報端末等の汎用ディスプレイにバーコードを表示できるようにしたものが開示されている。この携帯情報端末は、インターネットから情報をダウンロード可能なブラウザによって取得したバーコードをディスプレイに表示させ、バーコード読取装置に読み取らせるようにしている。
【特許文献１】特開２００２−１１７３７２号公報
【発明の開示】
【発明が解決しようとする課題】
【０００６】
上記特許文献１に記載の発明は、バーコードそのものあるいはバーコード変換用の符号情報（英数字など）を特定のＷｅｂサイトや外部記録媒体などから取得する構成になっているため、携帯情報端末がバーコードを画面上に表示して渡せる情報は限定されてしまう。また、この携帯情報端末に表示させるバーコードは、専用ＰＯＳ（Ｐｏｉｎｔ  Ｏｆ  Ｓａｌｅｓ）端末などによる読み取りを前提としているため、バーコード化する情報は商品情報などである。従って、携帯情報端末同士で所望の情報をやり取りできるようにはなっていない。
【０００７】
また、ユーザが画面上に現在表示させている情報をＱＲコードなどの図形コードに変換したい場合、図形コードに変換するソフトウェアを使って携帯電話機側で図形コードを生成し画面上に表示させることもできるが、この変換ソフトを立ち上げて変換に必要な各種情報を選択、入力するなどの煩雑な操作が必要となる。
【０００８】
このように従来の方法では、ユーザが携帯電話機の画面で見ている情報などを、一緒にいる家族や友人などが持つ携帯電話機に簡単に渡すことができなかった。
【０００９】
本発明は、上述のごとき実情に鑑みてなされたものであり、バーコードや２次元コードなどの図形コード生成機能を備える携帯端末装置において、携帯端末装置の筐体が所定の状態（折り畳まれた状態など）にあることを検知したときに、直前に表示させていたＷｅｂサイトのＵＲＬなどを図形コード化して画面表示できるようにすること、を目的としてなされたものである。
【課題を解決するための手段】
【００１０】
上記課題を解決するために、本発明の第１の技術手段は、表示部を有する携帯端末装置において、該携帯端末装置の筐体が所定の状態にあることを検知する筐体状態検知手段と、該筐体状態検知手段による検知結果に応答して、前記表示部に表示させている情報の少なくとも一部あるいは該表示情報に関連する情報を図形コード化する図形コード生成手段と、該図形コードを前記表示部に表示させる表示制御手段とを備えていることを特徴としたものである。
【００１１】
第２の技術手段は、第１の技術手段において、前記表示部は、前記図形コードを表示する第１の表示部と、前記図形コードの元になる情報を表示する第２の表示部とからなることを特徴としたものである。
【００１２】
第３の技術手段は、第２の技術手段において、前記携帯端末装置は、前記第１および第２の表示部を有する表示部側筐体と、操作部を有する操作部側筐体とがヒンジ機構を介して回動可能に連結されてなり、前記第１の表示部は、前記携帯端末装置が折り畳まれたときに外側となる面に配置されていることを特徴としたものである。
【００１３】
第４の技術手段は、第３の技術手段において、前記筐体状態検知手段は、前記所定の状態として、前記表示部側筐体が前記操作部側筐体に対して折り畳まれた状態を検知することを特徴としたものである。
【００１４】
第５の技術手段は、第２の技術手段において、前記第１の表示部の画面サイズ情報を記憶した手段を備え、前記図形コード生成手段は、前記第１の表示部の画面サイズに応じて図形コードのサイズを変更することを特徴としたものである。
【００１５】
第６の技術手段は、第１の技術手段において、前記図形コード生成手段は、前記表示部に表示させている情報の少なくとも一部あるいは該表示情報に関連する情報を図形コード化すると共に、該図形コードの内容を示す文字情報を生成し、前記表示制御手段は、前記図形コード生成手段により生成した図形コード及び文字情報を前記表示部に表示させることを特徴としたものである。
【００１６】
第７の技術手段は、第１の技術手段において、前記表示制御手段は、前記図形コード生成手段により生成した図形コードを前記表示部に所定時間表示させた後、所定の画面に戻すように制御することを特徴としたものである。
【００１７】
第８の技術手段は、第１の技術手段において、前記携帯端末装置は、前記表示部を有する表示部側筐体と、操作部を有する操作部側筐体とからなり、前記筐体状態検知手段は、前記表示部側筐体と前記操作部側筐体との位置関係に基づいて前記携帯端末装置の筐体が所定の状態にあることを検知することを特徴としたものである。
【００１８】
第９の技術手段は、第８の技術手段において、前記携帯端末装置は、前記表示部側筐体と前記操作部側筐体とがヒンジ機構を介して回動可能に連結されてなり、前記表示部側筐体は、前記ヒンジ機構の回転軸に直交する第１の回転軸を前記表示部側筐体の下部中央付近に設け、前記表示部側筐体が前記操作部側筐体に対して開いた状態で、前記表示部が前記第１の回転軸を中心として回転可能とし、前記筐体状態検知手段は、前記所定の状態として、前記表示部が前記操作部側筐体に対して回転した状態を検知することを特徴としたものである。
【００１９】
第１０の技術手段は、第１の技術手段において、前記筐体状態検知手段は、前記所定の状態として、前記携帯端末装置の筐体の傾きを検知することを特徴としたものである。
【００２０】
第１１の技術手段は、第１の技術手段において、前記筐体状態検知手段は、前記所定の状態として、前記携帯端末装置の筐体の揺れを検知することを特徴としたものである。
【００２１】
第１２の技術手段は、第１の技術手段において、前記図形コード生成手段は、前記表示部に表示されている情報のうち、前記操作部により選択された情報を図形コード化することを特徴としたものである。
【００２２】
第１３の技術手段は、第１の技術手段において、ネットワークを介してＷｅｂサイトに接続する手段を備え、前記図形コード生成手段は、前記表示部にＷｅｂサイトからの情報を表示させているときに、該表示中の情報の少なくとも一部あるいは前記Ｗｅｂサイトのアドレス情報を図形コード化することを特徴としたものである。
【００２３】
第１４の技術手段は、第１の技術手段において、電子メールを送受信する手段を備え、前記図形コード生成手段は、前記表示部に電子メールを表示させているときに、該表示中の電子メールの本文、件名、送信先の電子メールアドレス、送信元の電子メールアドレスのいずれか１又は複数を図形コード化することを特徴としたものである。
【００２４】
第１５の技術手段は、第１の技術手段において、前記携帯端末装置のユーザ及び通信相手の住所、氏名、電話番号、電子メールアドレスのいずれか複数の情報を含むアドレス情報を登録した手段を備え、前記図形コード生成手段は、前記表示部にアドレス情報を表示させているときに、該表示中のアドレス情報に含まれる少なくとも一つの情報を図形コード化することを特徴としたものである。
【００２５】
第１６の技術手段は、第１５の技術手段において、前記アドレス情報に含まれる一つの情報を図形コード化した後、前記筐体が所定の状態にあることを検知すると、前記図形コード生成手段は、前記アドレス情報に含まれる前記情報以外の他の情報を図形コード化することを特徴としたものである。
【００２６】
第１７の技術手段は、表示部を有する携帯端末装置の図形コード生成方法において、前記携帯端末装置の筐体が所定の状態にあることを検知するステップと、前記筐体が所定の状態にあることを検知したことに応答して前記表示部に表示させている情報の少なくとも一部あるいは該表示情報に関連する情報を図形コード化するステップと、該図形コードを前記表示部に表示させるステップとを有することを特徴としたものである。
【発明の効果】
【００２７】
本発明によれば、バーコードや２次元コードなどの図形コード生成機能を備える携帯端末装置において、携帯端末装置の筐体が所定の状態（折り畳まれた状態など）にあることを検知したときに、直前に表示させていたＷｅｂサイトのＵＲＬなどを図形コード化して画面表示できるため、一緒にいる家族や友人などが持つ携帯端末装置に対して簡単にＷｅｂページなどの情報を渡すことができる。
【発明を実施するための最良の形態】
【００２８】
本発明の携帯端末装置は、表示部にＷｅｂページなどの情報を表示させている状態で、携帯端末装置の筐体が所定の状態（例えば、折り畳まれた状態など）にあることを検知する筐体状態検知部と、筐体状態検知部の検知結果に応答して、表示部に表示させているＷｅｂページの少なくとも一部あるいはそのＷｅｂページ情報に関連する情報（ＵＲＬなど）を、バーコードあるいは２次元コードなどの図形コード化する図形コード生成部と、その図形コードを表示部に表示させる表示制御部とを備えている。これらの筐体状態検知部、図形コード生成部、表示制御部については、後述する図４において詳細に説明する。
【００２９】
また、本発明の携帯端末装置は、表示部側筐体の表示部を設けた面の反対側の面、あるいは、操作部側筐体の操作部を設けた面の反対側の面にサブ表示部を設けてもよい。この場合、表示制御部は、図形コード生成部により生成した図形コードを表示部あるいはサブ表示部のいずれかに表示させるように制御する。なお、本発明における図形コードとは、例えば、バーコードや、２次元コードなどを含むものとする。
【００３０】
本発明が適用される図形コードは、上記バーコード、２次元コードのいずれであってもよいが、１次元の横方向（又は縦方向）にのみ情報を有するバーコードに比べ、２次元の縦・横両方向に情報を有する２次元コードは、大量の情報を記録できる利点がある。
【００３１】
また、２次元コードにはいくつかの方式があるが、スタック方式と、マトリックス方式とに大別される。スタック方式の２次元コードは、２進化コードで表されるデータをバーコード化し、当該バーコードをバーの配列方向に対して直交する方向に多段（列）に積み重ねた構造を採用しており、各列を識別するために、各列にスタートコードとストップコードとが備えられている。
【００３２】
一方、マトリックス方式の２次元コードは、２進化コードで表されるデータをセル化し、当該セルを縦横２方向に配列するものであり、表示エリアを明（白）又は暗（黒）のセル（一般に、正方形状のセル）のセルパターンで表現し、かかるセルパターンの角度とサイズとを読み取ることにより解読される。
【００３３】
２次元コードを正しく解読するためには、各バーや各セルの明暗（白黒）の判別が正確に行われなくてはならない。従って、読み取るべきデータ位置を示す各バーや各セルの中心位置の決定が重要となる。また、シンボル（即ち２次元コード）の方向を判別するために、「Ｌ型のガイドセル」や「切り出しシンボル」を設け、３６０°全方向からの２次元コードの読み取りと高速読み取りとを可能にしている。
【００３４】
スタック方式の２次元コードに関する代表的なコード例としては、ＣＯＤＥ４９、ＣＯＤＥ１６Ｋ、ＰＤＦ４１７等が挙げられ、マトリックス方式の２次元コードに関する代表的なコード例としては、ＤＡＴＡ  ＣＯＤＥ、ＱＲコード、ＭＡＸＩ  ＣＯＤＥ、Ｖｅｒｉ  ＣＯＤＥ、ＣＯＤＥ１、アレイタグ、ＣＰコード、カルラコード等が挙げられる。本発明の携帯端末装置は、上述したバーコードあるいは２次元コードを生成する機能を備えている。
【００３５】
図１は、本発明の一実施形態に係る携帯端末装置の外観を示す斜視図で、図中、１０は携帯端末装置で、該携帯端末装置１０は、表示部１を有する表示部側筐体１０ａと、操作部２を有する操作部側筐体１０ｂとを備え、表示部側筐体１０ａと操作部側筐体１０ｂとがヒンジ機構３を介して回動可能に連結されている。本実施形態の携帯端末装置１０は、所謂クラムシェル型の携帯電話機である。図１（Ａ）にはクラムシェル型携帯電話機１０の筐体を開いた状態を示し、図１（Ｂ）にはクラムシェル型携帯電話機１０の筐体を閉じた状態を示す。このように、クラムシェル型携帯電話機１０は、表示部側筐体１０ａを操作部側筐体１０ｂに対して折り畳むことができ、また、表示部側筐体１０ａには、表示部側筐体１０ａを閉じたとき（折り畳んだとき）にも時刻情報などを表示するためのサブ表示部４（本発明の第１の表示部に相当）が設けられている。
【００３６】
図２は、図１に示した携帯電話機１０において２次元コードを生成、表示する際の動作例を説明するための図である。図２（Ａ）において、表示部側筐体１０ａが操作部側筐体１０ｂに対して開いた状態で、表示部１にはＷｅｂページ５が表示されている。図２（Ａ）に示す状態から、図２（Ｂ）に示すように、表示部側筐体１０ａが操作部側筐体１０ｂに対して折り畳まれたときに、その折り畳まれた状態にあることを検知し、直前に表示部１に表示させていたＷｅｂページ５のＵＲＬを２次元コード化すると共に、２次元コード６ａの内容を示す文字情報（本例では「天気予報」）６ｂを生成し、生成した２次元コード６ａ及び文字情報６ｂをサブ表示部４に表示させるように制御する。
【００３７】
図３は、図２（Ｂ）に示したサブ表示部４の画面を拡大した状態を示す図である。なお、文字情報６ｂを生成せずに、２次元コード６ａのみを表示させるようにしてもよい。携帯電話機１０のサブ表示部４に２次元コード６ａを表示した状態で、一緒にいる家族や友人などは、自身が持つ２次元コード読取機能付きの携帯電話機を用いて、サブ表示部４の２次元コード６ａを読み取り、Ｗｅｂページ５のＵＲＬを簡単に取得することができる。
【００３８】
なお、携帯電話機１０は、２次元コード６ａ及び文字情報６ｂをメイン画面である表示部１に表示させるように制御してもよい。この場合、ユーザが携帯電話機１０の筐体を開くと、表示部１には２次元コード６ａ及び文字情報６ｂが表示されている。また、折り畳まれた状態の携帯電話機１０の筐体を開いたことをトリガにして、表示部１に２次元コード６ａ及び文字情報６ｂを表示させるように制御してもよい。
【００３９】
図４は、図１に示した携帯電話機１０の構成例を示すブロック図で、携帯電話機１０は、電波を受信するためのアンテナ１１と、電話や電子メール、インターネット上のＷｅｂサイトへのアクセス等における通信を行う無線通信部１２と、電子メールやアドレス帳データ、各種プログラムなどを記憶する記憶部１３と、筐体が開いた状態のときにＷｅｂページや、電子メール、アドレス帳データを表示するメイン表示部である表示部１と、通信相手の名前、通信相手の電話番号、または各種パラメータなどをキー入力する操作部２と、筐体が折り畳まれた状態のときに時刻情報などを表示するサブ表示部４と、筐体が開いた状態か折り畳まれた状態かを検知する筐体状態検知部１４と、筐体が折り畳まれた状態を検知したときに表示部１に表示させている情報を２次元コードなどの図形コード化する図形コード生成部１５と、携帯電話機１０全体の制御を行う主制御部１６と、図形コードを表示部１あるいはサブ表示部４に表示させる表示制御部１７と、から構成されている。
【００４０】
携帯電話機１０において、無線通信部１２がネットワークを介してＷｅｂサイトに接続する機能（ブラウザ機能）を備える場合、図形コード生成部１５は、表示部１にＷｅｂサイトからの情報を表示させているときに、筐体が折り畳まれたことをトリガとして、表示中の本文情報の少なくとも一部あるいはＷｅｂサイトのアドレス情報（ＵＲＬ）を２次元コード化する。
【００４１】
また、無線通信部１２が電子メールを送受信する機能を備える場合、図形コード生成部１５は、表示部１に電子メールを表示させているときに、筐体が折り畳まれたことをトリガとして、表示中の電子メールの本文、件名、送信先の電子メールアドレス、送信元の電子メールアドレスのいずれか１又は複数を２次元コード化する。
【００４２】
また、記憶部１３が携帯電話機１０のユーザ及び通信相手の住所、氏名、電話番号、電子メールアドレスのいずれか複数の情報を含むアドレス帳データを登録している場合、図形コード生成部１５は、表示部１にアドレス帳データを表示させているときに、筐体が折り畳まれたことをトリガとして、表示中のアドレス帳データに含まれる少なくとも一つの情報を２次元コード化する。
【００４３】
さらには、携帯電話機１０がテレビジョン放送を受信する機能を備える場合、テレビジョン放送を見ているときのチャンネルやメタデータ情報を２次元コード化してもよいし、また、ストリーム再生機能を備える場合、ストリーム再生をしているときの参照元情報や再生時間情報などを２次元コード化してもよい。
【００４４】
ここで、表示制御部１７が、図形コード生成部１５により生成した図形コードを表示部１あるいはサブ表示部４のどちらに表示させるかについてはデフォルト設定しておいてもよいし、また、表示部１あるいはサブ表示部４のいずれに表示させるか設定する手段を備え、ユーザが任意に設定できるようにしてもよい。この設定情報は記憶部１３に記憶される。
【００４５】
また、携帯電話機１０の機種によってはサブ表示部４の画面サイズが異なることがある。このため、記憶部１３にサブ表示部４の画面サイズ情報を記憶しておき、サブ表示部４の画面サイズに応じて図形コードのサイズを変更するように制御してもよい。サブ表示部４に図形コードを表示させる際に、図形コード生成部１５は、記憶部１３の画面サイズ情報を参照し、サブ表示部４の画面サイズに応じた図形コードを生成する。これにより、適切なサイズの図形コードをサブ表示部４に表示させることができる。
【００４６】
図５は、図４に示した携帯電話機１０の２次元コードの生成、表示方法の一例を説明するためのフロー図である。本例では、表示部１で閲覧中のＷｅｂサイトのＵＲＬを２次元コード化して表示する動作例について説明する。
【００４７】
まず、ユーザは、携帯電話機１０のＷｅｂブラウザを立ち上げ、表示部１で所望のＷｅｂサイトの閲覧を行う（ステップＳ１）。傍にいる友人の携帯電話機にＵＲＬを送信して見せたいようなＷｅｂサイトがあれば携帯電話機１０の筐体を閉じる。筐体状態検知部１４により携帯電話機１０の筐体が閉じられたかどうかを検知し（ステップＳ２）、筐体が閉じられたことを検知した場合（ＹＥＳの場合）、図形コード生成部１５を起動する（ステップＳ３）。また、上記ステップＳ２において、筐体が閉じられたことが検知されない場合（ＮＯの場合）、ステップＳ２で待機状態となる。
【００４８】
次に、携帯電話機１０は、表示部１に表示して閲覧中のＷｅｂサイトのＵＲＬを取得し（ステップＳ４）、取得したＵＲＬを図形コード生成部１５に入力して２次元コード化する（ステップＳ５）。そして、表示制御部１７は、図形コード生成部１５により生成された２次元コードをサブ表示部４に表示させる（ステップＳ６）。傍にいる友人は、自身の携帯電話機の２次元コード読取機能を立ち上げ、携帯電話機１０のサブ表示部４に表示された２次元コードを読み取る。この際、サブ表示部４には、図３に示したように、２次元コードといっしょに、Ｗｅｂサイト名の情報を表示させたり、あるいはその他の情報（現在時刻など）を同時に表示するようにしてもよい。このように、２次元コードと共に、Ｗｅｂサイト名の情報などを表示させることで、当該２次元コードが何の情報をコード化したものか容易に知ることができる。
【００４９】
また、携帯電話機１０は、意図しない第三者に２次元コードを読み取られてしまうことを避けるため、２次元コードを表示部１あるいはサブ表示部４に表示させてから一定時間が経過したときに、２次元コードを表示させる前に表示させていた画面に戻すようにしてもよい。例えば、２次元コードを表示部１に表示させた場合、その直前まで表示させていたＷｅｂページや、電子メール、アドレス帳データの画面に戻してもよいし、あるいは、待ち受け画面に戻すようにしてもよい。また、２次元コードをサブ表示部４に表示させた場合、その直前まで表示させていた時刻情報の画面に戻すようにしてもよい。
【００５０】
また、本実施形態では、携帯電話機１０の筐体が閉じられたことをトリガとして、２次元コードを生成、表示していたが、例えば、携帯電話機１０の筐体の傾きや揺れなどを検知するようにしてもよい。筐体状態検知部１４は、筐体の揺れを検知する場合、加速度センサを備え、筐体の傾きを検知する場合、地磁気センサを備えるようにすれば筐体の揺れや傾きを検知することができる。これにより、画面を相手に見せるために携帯電話機１０の筐体を傾けたり、筐体を揺らしたことをトリガとして、２次元コードを生成、表示させることができる。もちろん、筐体が開いた状態で常時２次元コードを表示させていてもよい。
【００５１】
図６は、図４に示した携帯電話機１０の２次元コードの生成、表示方法の他の例を説明するための図である。尚、本例では図４に示した携帯電話機１０の構成に基づいて、表示部１で閲覧中のアドレス帳データの２次元コードを生成、表示する動作について説明する。まず、図６（Ａ）に示すように、携帯電話機１０の表示部１でアドレス帳データ７の閲覧を行う。傍にいる友人の携帯電話機に送りたいアドレス帳データがあれば携帯電話機１０の筐体を閉じる。携帯電話機１０は、筐体状態検知部１４により携帯電話機１０の筐体が閉じられたことを検知したら、図形コード生成部１５を起動する。次に、表示部１のアドレス帳データ７に含まれる項目から、ユーザがカーソルで選択した項目のデータ（本例ではメールアドレス１）７ａを取得し、その項目データ７ａを図形コード生成部１５に入力する。そして、図６（Ｂ）に示すように、図形コード生成部１５により生成された２次元コード８ａをサブ表示部４に表示する。この際、２次元コード８ａといっしょに、項目名８ｂ（本例ではメールアドレス１）を併せて表示してもよい。
【００５２】
上記のように、アドレス帳データ７に含まれる一つの項目データ（例えばメールアドレス１）を２次元コード化してから所定時間以内に、筐体が所定の状態にあることを検知すると、図形コード生成部１５は、上記項目データ（メールアドレス１）以外の他の項目データを２次元コード化するようにしてもよい。具体例としては、２次元コードをサブ表示部４に表示させてから所定時間以内に、携帯電話機１０の筐体を開いて再び閉じた（折り畳んだ）ときに、この状態を検知し、別の項目データ（例えば、電話番号１）の２次元コードをサブ表示部４に表示するようにする。
【００５３】
また、本実施形態において、図形コード生成部１５は、表示部１に表示されている情報（アドレス帳データ７）のうち、操作部２からユーザにより選択された情報（メールアドレス１）を２次元コード化する例について示したが、アドレス帳データ７に含まれる項目データ全てを２次元コード化してもよい。また、サブ表示部４の画面サイズが比較的大きい場合には、各項目データの２次元コードを複数表示するようにしてもよい。
【００５４】
また、本実施形態では、アドレス帳データ７を２次元コード化したが、このほかの実施形態として、携帯電話機１０が電子メールを見ているときの電子メールアドレスや本文などを２次元コード化してもよい。
【００５５】
図７は、本発明の他の実施形態に係る携帯端末装置の外観を示す斜視図で、携帯端末装置２０は、表示部２１を有する表示部側筐体２０ａ、操作部２２を有する操作部側筐体２０ｂを備え、表示部側筐体２０ａと操作部側筐体２０ｂとがヒンジ機構２３を介して回動可能に連結され、さらに、ヒンジ機構２３の回転軸に直交する回転軸２４を表示部側筐体２０ａの下部中央付近に設け、表示部側筐体２０ａが操作部側筐体２０ｂに対して開いた状態で、表示部２１が回転軸２４を中心として回転できるように構成されている。本実施形態の携帯端末装置２０は、２軸回転ヒンジを用いた、所謂スウィーベル型の携帯電話機である。
【００５６】
このように、スウィーベル型携帯電話機２０は、表示部側筐体２０ａの表示部２１を図中Ａの方向（逆の方向でもよい）に１８０°回転させ、表示部２１を上側に向けて操作部側筐体２０ｂに対して折り畳むことができるため、折り畳んだ状態で表示部２１が表側に出ていることになる。このため、例えば、スウィーベル型携帯電話機２０が備えるカメラ機能を利用する際に、デジタルカメラ専用機と同じ形態で利用することができる。また、このスウィーベル型では、サブ表示部（図示しない）を操作部側筐体２０ｂ側に設けているが、サブ表示部を必ずしも設ける必要はない。サブ表示部を設けない場合、サブ表示部に表示させる時刻情報などを表示部２１に表示させるようにしてもよい。以下、スウィーベル型携帯電話機２０の動作例について前述の図４に基づいて説明するが、図４に示した表示部１を表示部２１、操作部２を操作部２２とし、サブ表示部４を含まない構成として説明する。
【００５７】
本実施形態の筐体状態検知部１４は、スウィーベル型携帯電話機２０の表示部２１が操作部側筐体２０ｂに対して回転したことを検知し、図形コード生成部１５は、表示部２１が回転した状態を検知したときに表示部２１に表示させている情報を２次元コードなどの図形コード化する。表示制御部１７は、図形コード生成部１５により生成された２次元コードを表示部２１に表示させる。
【００５８】
図７において、表示部側筐体２０ａが操作部側筐体２０ｂに対して開いた状態で、表示部２１にはＷｅｂページが表示されているものとする。携帯電話機２０のユーザは、傍にいる友人の携帯電話機に上記ＷｅｂページのＵＲＬを送信して見せたい場合、表示部２１を回転させる。表示部２１が操作部側筐体２０ｂに対して回転したときに、その回転した状態にあることを検知し、直前に表示部２１に表示させていたＷｅｂページのＵＲＬを２次元コード化すると共に、２次元コードの内容を示す文字情報を生成し、生成した２次元コード及び文字情報を表示部２１に表示させるように制御する。なお、上記文字情報を生成せずに、２次元コードのみを表示させるようにしてもよい。そして、一緒にいる家族や友人などは、自身が持つ２次元コード読取機能付きの携帯電話機を用いて、表示部２１の２次元コードを読み取り、ＷｅｂページのＵＲＬを簡単に取得することができる。
【００５９】
本実施形態のスウィーベル型携帯電話機２０は、表示部２１が操作部側筐体２０ｂに対して回転したことをトリガとして、２次元コード及び文字情報を表示部２１に表示させるように制御する例について説明したが、操作部側筐体２０ｂにサブ表示部を設けた構成としてもよく、この場合、当該サブ表示部に２次元コード及び文字情報を表示させるように制御してもよい。
【００６０】
尚、本発明の携帯端末装置は、上記した各実施の形態に限定されるものではなく、本発明の要旨を逸脱しない範囲内において種々変更を加え得ることは勿論である。本発明は、例えば、表示部を有する表示部側筐体と、操作部を有する操作部側筐体とが上下に重なった状態で、表示部側筐体が操作部側筐体に対してスライド可能に連結されたスライド型携帯電話機に適用してもよい。この場合、表示部側筐体が操作部側筐体に対してスライドしたことをトリガとして、２次元コード（及び文字情報）を表示部に表示させるように制御する。また、表示部を有する表示部側筐体と、操作部を有する操作部側筐体とが上下に重なった状態で、表示部側筐体が操作部側筐体に対して１８０°回転可能に連結された１８０°回転型携帯電話機に適用してもよい。この場合、表示部側筐体が操作部側筐体に対して回転したことをトリガとして、２次元コード（及び文字情報）を表示部に表示させるように制御する。
【図面の簡単な説明】
【００６１】
【図１】本発明の一実施形態に係る携帯端末装置の外観を示す斜視図である。
【図２】図１に示した携帯電話機において２次元コードを生成、表示する際の動作例を説明するための図である。
【図３】図２（Ｂ）に示したサブ表示部の画面を拡大した状態を示す図である。
【図４】図１に示した携帯電話機の構成例を示すブロック図である。
【図５】図４に示した携帯電話機の２次元コードの生成、表示方法の一例を説明するためのフロー図である。
【図６】図４に示した携帯電話機の２次元コードの生成、表示方法の他の例を説明するための図である。
【図７】本発明の他の実施形態に係る携帯端末装置の外観を示す斜視図である。
【符号の説明】
【００６２】
１，２１…表示部、２，２２…操作部、３，２３…ヒンジ機構、４…サブ表示部、５…Ｗｅｂページ、６ａ，８ａ…２次元コード、６ｂ，８ｂ…文字情報、７…アドレス帳データ、７ａ…項目データ、１０，２０…携帯端末装置（携帯電話機）、１０ａ，２０ａ…表示部側筐体、１０ｂ，２０ｂ…操作部側筐体、１１…アンテナ、１２…無線通信部、１３…記憶部、１４…筐体状態検知部、１５…図形コード生成部、１６…主制御部、１７…表示制御部、２４…回転軸。
【図１】
2006303562.tif 000003
【図２】
2006303562.tif 000004
【図３】
2006303562.tif 000005
【図４】
2006303562.tif 000006
【図５】
2006303562.tif 000007
【図６】
2006303562.tif 000008
【図７】
2006303562.tif 000009